(57)【要約】【課題】原稿面を移動走査する原稿走査手段上にＲＦＩＤとの通信を行うアンテナを具備することで、アンテナ出力を適切な出力値にすることが可能となる。【解決手段】原稿を載置するための原稿台と、前記原稿台に載置された原稿を副走査方向に移動し光学的に走査するための原稿走査手段と、走査された原稿画像を光学的に読み取り電子データに変換する画像読取手段とを有する画像読取装置において、メモリとアンテナを含む無線通信素子と通信するための少なくとも一つの通信アンテナを前記原稿走査手段上に具備し、前記通信アンテナを介して前記無線通信素子内のメモリからの情報の読み出し及びメモリへの情報の書き込みを行う手段とを備えたことを特徴とする画像読取装置。【選択図】        図１
2006203630.tif 000002
【特許請求の範囲】
【請求項１】
原稿を載置するための原稿台と、前記原稿台に載置された原稿を副走査方向に移動し光学的に走査するための原稿走査手段と、走査された原稿画像を光学的に読み取り電子データに変換する画像読取手段とを有する画像読取装置において、
メモリとアンテナを含む無線通信素子と通信するための少なくとも一つの通信アンテナを前記原稿走査手段上に具備し、前記通信アンテナを介して前記無線通信素子内のメモリからの情報の読み出し及びメモリへの情報の書き込みを行う手段とを備えたことを特徴とする画像読取装置。
【請求項２】
前記画像読取手段がコンタクトイメージセンサであり、前記原稿走査手段内に含まれることを特徴とする請求項１に記載の画像読取装置。
【請求項３】
請求項１に記載の画像読取装置において、画像読取開始を指示するスイッチを備え、画像読取動作の間のみ無線通信を行うことを特徴とする画像読取装置。
【発明の詳細な説明】
【技術分野】
【０００１】
本発明は、メモリとアンテナを備えた非接触ＩＣ（ＲＦＩＤ）が埋め込まれた原稿に対して、非接触で前記メモリ内のデータを読み書きする画像読取装置に関するものである。
【背景技術】
【０００２】
非接触で情報を書き込み／読み出し可能であるメモリとアンテナを備えた例えばＲＦＩＤ等の無線通信素子が開発されている。
【０００３】
また、近年では無線通信素子の小型が進み、紙に埋め込むことが可能となった。
【０００４】
これにより、ＲＦＩＤが埋め込まれた原稿に対し、原稿画像を読み取ると同時に、原稿に埋め込まれたＲＦＩＤ内蔵のメモリに記憶された付加情報を読み取り、読み取った付加情報に基づいて装置の制御を行う画像読取装置および複写機等の画像形成装置が開発されている（例えば、特許文献１、特許文献２参照。）。
【特許文献１】特開２００１−１６０１１７号公報
【特許文献２】特開２００２−３３７４２６号公報
【発明の開示】
【発明が解決しようとする課題】
【０００５】
しかしながら、原稿に埋め込まれたＲＦＩＤが原稿の何処の位置に存在するのかを検知する術がなく、そのため従来の技術である原稿台付近に固定されたＲＦＩＤ通信手段では、アンテナ出力が原稿全体に届くようにしなければならず高いアンテナ出力が必要であった。また、アンテナ出力が単純に高ければ良いというものではない。なぜなら、原稿台に置かれていないが原稿台付近にあるＲＦＩＤの情報までをも読み取る可能性もあった。
【０００６】
本発明は、以上の点に着目して成されたもので、原稿面を移動走査する原稿走査手段上にＲＦＩＤとの通信を行うアンテナを具備することで、アンテナ出力を適切な出力値にすることが可能となる画像読取装置を提供することを目的とする。
【課題を解決するための手段】
【０００７】
本発明は、前記の課題を解決する一手段として、以下の構成を備えるものである。
【０００８】
原稿を載置するための原稿台と、前記原稿台に載置された原稿を副走査方向に移動し光学的に走査するための原稿走査手段と、走査された原稿画像を光学的に読み取り電子データに変換する画像読取手段とを有する画像読取装置において、メモリとアンテナを含む無線通信素子と通信するための通信アンテナを前記原稿走査手段上に具備し、前記通信アンテナを介して前記無線通信素子内のメモリからの情報の読み出し及びメモリへの情報の書き込みを行う手段とを備えたことを特徴とする、画像読取装置を提供することで、適当なアンテナ出力でＲＦＩＤとの通信を可能にできる。
【発明の効果】
【０００９】
本発明によれば、原稿面を移動走査する原稿走査手段上にＲＦＩＤとの通信を行うアンテナを具備することで、アンテナ出力を適切な出力値にすることが可能となる。
【発明を実施するための最良の形態】
【００１０】
以下、本発明の文書管理システムの実施形態について、添付の図面を参照しつつ詳しく説明する。
【実施例】
【００１１】
スキャナの断面図の説明（図１）
図１は、本発明の画像読取装置の構成を示す断面図である。
【００１２】
１００は原稿１０１が載置される原稿台である。
【００１３】
１０２は前記原稿台１００上に載置された原稿１０１を副走査方向に移動し光学的に走査する原稿走査手段であり、原稿を照射するための光源である冷陰極管１０３、反射ミラー１０４から構成される。
【００１４】
１０５は前記原稿走査手段１０２からの原稿像である反射光を折り返すための折り返しミラーである。
【００１５】
１０６は原稿読取手段であり、前記折り返しミラー１０５から原稿像である反射光をイメージセンサの受光面上に結像させるためのレンズ１０７と、結像された原稿像を電子データに変換するためのイメージセンサであるＣＣＤ１０８から構成される。１０９は原稿像である反射光の光路を示したものである。
【００１６】
１１０は無線通信素子であるＲＦＩＤと通信するための通信アンテナであり、前記原稿走査手段上に備えられている。
【００１７】
スキャナのブロック図の説明（図２）
図２は、本発明の画像読取装置の電気的な構成を示したブロック図である。
【００１８】
２００はＣＰＵ（中央処理装置）で、２０１のローカルバスに接続されており、プログラムメモリ２０２に格納された制御プログラムを実行し、画像読取装置全体を制御する。
【００１９】
２０３は駆動制御回路であり、前記ＣＰＵ２００の命令に基づいて、前記原稿走査手段１０２を移動させるための不図示の駆動モータ等の画像読取装置内の駆動負荷２０４の駆動を制御する。
【００２０】
２０５はオペレータが画像読取装置を走査するための操作部であり、画像読取開始キーが含まれる。
【００２１】
２０６はＣＣＤ等のイメージセンサから構成される画像読取手段であり、光学的に読み取った画像を電子データである画像データに変換する。
【００２２】
前記画像読取手段２０６から出力された画像データは画像メモリ２０７に一旦記憶される。
【００２３】
２０８は例えばＰＣと接続される外部インターフェイスであり、外部インターフェイス２０８を介して、画像メモリ２０７内に記憶された画像データを送信する。
【００２４】
２０９はＲＦＩＤ通信インターフェイスであり、ＣＰＵ２００はＲＦＩＤ通信インターフェイス２０９を制御することで、通信アンテナ２１０を介し、原稿に埋め込まれた無線通信素子であるＲＦＩＤとの通信を行う。
【００２５】
ＲＦＩＤの詳細説明（図３，図４）
図３、図４を用いて本発明の画像読取装置における、原稿に埋め込まれたＲＦＩＤと画像読取装置の通信方法を説明する。
【００２６】
図３は原稿に埋め込まれた非接触ＩＣ（ＲＦＩＤ）の内部を詳しく表したブロック図である。
【００２７】
ＲＦＩＤは、３０１の不揮発性メモリ、３０２の電波を送受信するためのアンテナ部と、３０３の共振コンデンサ部、３０４の電源の整流・平滑を行うための電力形成部と、３０５の電波の変調、復調を行うための復変調部、３０６の制御部とから構成される。
【００２８】
３０２のアンテナ部は、３０３の共振コンデンサと組み合わされ、共振回路を構成できるようになっている。外部から電力を供給するための電波信号が送られることにより、これを共振回路で受け取って、前記３０４に示される電力形成部へ供給し、３０４の電力生成部はＲＦＩＤを動作させるための電力を供給することが可能となる。前記電力は、３０１の不揮発性メモリや、３０５の復変調回路へ供給される。３０６の制御部は、ＲＦＩＤの制御を行うためのものである。
【００２９】
外部から、電力を供給するための電波とあわせて、ＲＦＩＤから読み出す、または書き着込むためのデータも同時に送受信され、送られてきた信号は、３０５の復変調回路によって、復調され３０６の制御部を介して、３０１の不揮発性メモリへ記憶される。また、３０６の制御部によって、３０１の不揮発性メモリから読み出されたデータは、３０５の復変調回路によって変調され、３０２のアンテナ部から電波信号として送信可能である。
【００３０】
図４は画像読取装置内のＲＦＩＤ通信インターフェイス及び通信アンテナを詳しく表したブロック図であり、この図を用いて原稿に埋め込まれたＲＦＩＤからの情報の読み取り、または書き込み動作の詳細な説明を行う。
【００３１】
ＲＦＩＤ通信インターフェイスは、ＲＦＩＤに対して電波を送信するための送信アンテナ部４０１と、送信アンテナから送信する電波の変調を行うための変調回路４０２と、ＲＦＩＤから送られてくる電波を受信するための受信アンテナ部４０３、受信アンテナ部４０３より受信した信号を復調するための復調回路４０４、また４０１の送信アンテナ部と、４０２の変調回路、４０３の受信アンテナ部、４０４の復調回路を制御するための制御部４０５と、上位機器との通信を行うために前記ローカルバス２０１と接続されるＩ／Ｆ部４０６と、送信アンテナ部４０１に接続され、ＲＦＩＤへの電力供給を行う電源４０７から構成される。
【００３２】
前記制御部４０５は、外部からの指示により４０２の変調回路を用いて電力を供給するための電波および、送信するデータを変調して、４０１の送信アンテナ部より外部へ電波を送信する。また、外部より受信した電波信号を、４０３の受信アンテナ部で受信して、４０４の復調回路によって復調したのち、データ信号として扱えるように変換することが可能である。
【００３３】
スキャナの動作フローの説明（図５）
図５は本発明の画像読取装置における、ＲＦＩＤとの通信を含んだ原稿画像読取動作を表したフローチャートである。
【００３４】
このフローチャートにおいて、原稿に埋め込まれたＲＦＩＤには原稿の複写及び読取禁止情報が含まれている。この種の原稿は、たとえば写真集などで、画像読取装置で画像を読み込んだ場合に著作権が侵害されることを防ぐものである。
【００３５】
ＲＦＩＤとの通信アンテナは読み取り動作時以外はアンテナ出力されていない。
【００３６】
前記操作部２０５内の読み取り開始キーが押されると、アンテナの出力を開始し（ステップ５０１）、前記原稿走査手段が原稿台上の原稿の走査を開始する（ステップ５０２）。
【００３７】
原稿走査中に原稿に埋め込まれたＲＦＩＤとの通信が可能な場合（ステップ５０３）、ＲＦＩＤ内の記憶手段から情報を読み込む（ステップ５０４）。
【００３８】
ＲＦＩＤから読み込んだ情報に原稿の複写及び読取禁止情報が含まれていた場合（ステップ５０６）、直ちに読み込み動作を中断し（ステップ５０７）、それまでに読み込み、データメモリに格納されている画像データを削除して（ステップ５０８）画像読取動作を終了する。
【００３９】
また、ＲＦＩＤから読み込んだ情報に原稿の複写及び読取禁止情報が含まれていない場合（ステップ５０６）、引き続き一連のフローに従い（ステップ５０３，５０４）原稿の走査を行う。
【００４０】
［第２の実施例（図６）］
図６は、本発明における画像読取装置の第二の実施例の構成を示す断面図である。
【００４１】
第一の実施例では原稿走査手段のみが移動し、原稿読取手段は固定されていたが、図６に示すように、原稿走査手段１０２内にレンズ１０７とイメージセンサ１０８を含んだ構成であってもよい。
【図面の簡単な説明】
【００４２】
【図１】本発明の第一の実施例の画像読取装置における構成を概略的に示した側断面図
【図２】本発明の画像読取装置の電気的構成を示したブロック図
【図３】本発明の原稿に埋め込まれたＲＦＩＤ内部を詳しく表したブロック図
【図４】本発明の画像読取装置におけるＲＦＩＤリーダライタ部を詳しく表したブロック図
【図５】本発明の画像読取装置における画像読取およびＲＦＩＤとの通信動作を表したフローチャート
【図６】本発明の第二の実施例の画像読取装置における構成を概略的に示した側断面図
【符号の説明】
【００４３】
１００  原稿台
１０１  原稿
１０２  原稿走査手段
１０３  冷陰極管
１０４  反射ミラー
１０５  折り返しミラー
１０６  原稿読取手段
１０７  レンズ
１０８  ＣＣＤ
１０９  光路
１１０  通信アンテナ
【図１】
2006203630.tif 000003
【図２】
2006203630.tif 000004
【図３】
2006203630.tif 000005
【図４】
2006203630.tif 000006
【図５】
2006203630.tif 000007
【図６】
2006203630.tif 000008